(57)【要約】【課題】従来の左右側のカバー体は、運転席下方のミッション部の外側面付近から分割するようになっているため、ミッション部に対する取り付け、取り外しが容易ではなく、特に、運転席の下側であるため着脱作業が煩雑となる問題がある。本発明の課題は、後車輪の前方と上方を覆うフェンダーを後車輪の内側面付近から分割できるようにして，着脱の容易化並びに後車輪の洗浄容易化を図ることにある。【解決手段】左右後車輪の前方と上方を覆うフェンダーであって、この左右フェンダーは後車輪の内側面付近から分割可能として外側のフェンダーと内側のフェンダーとから構成し、前記外側の分割フェンダーを着脱自在に構成したことを特徴とするトラクタ【選択図】図３
2009132311.tif 000002
【特許請求の範囲】
【請求項１】
左右後車輪(５)，（５）の前方と上方を覆うフェンダー（１３），（１３）であって、この左右フェンダー（１３），（１３）は後車輪（５），（５）の内側面付近から分割可能として外側のフェンダー（１３ａ），（１３ａ）と内側のフェンダー（１３ｂ），（１３ｂ）とから構成し、前記外側の分割フェンダー（１３ａ），（１３ａ）を着脱自在に構成したことを特徴とするトラクタ。
【請求項２】
前記左右の内側フェンダー（１３ｂ），（１３ｂ）の下方には、ミッション側への泥土飛散を防止する泥除けカバー（１７）を設けたことを特徴とする請求項１記載のトラクタ。
【発明の詳細な説明】
【技術分野】
【０００１】
この発明は、トラクタに関し、特にミッション部の上方や左右後輪を覆うカバー体の構成に関する。
【背景技術】
【０００２】
従来、特許文献１に示されているように、運転部と運転席下方のミッション部と、左右側の後車輪とにかけてカバー体を設け、このカバー体により運転部のステップを形成すると共に、ミッション部の上方を被覆し、且つ，左右側の後車輪の前方と上方とを被覆したトラクタのカバー体において、左右側カバー体とこれらの間に配置した中間カバー体とに３分割して、機体に対し着脱自在に取り付けるようにした構成のものが知られている。
【特許文献１】特開２００６−９６３２０号公報
【発明の開示】
【発明が解決しようとする課題】
【０００３】
従来の左右側のカバー体は、運転席下方のミッション部の外側面付近から分割するようになっているため、ミッション部に対する取り付け、取り外しが容易ではなく、特に、運転席の下側であるため着脱作業が煩雑となる問題がある。  
【０００４】
本発明の課題は、後車輪の前方と上方を覆うフェンダーを後車輪の内側面付近から分割できるようにして，着脱の容易化並びに後車輪の洗浄容易化を図ることにある。
【課題を解決するための手段】
【０００５】
この発明は、上記課題を解決すべく次のような技術的手段を講じた。
すなわち、請求項１記載の本発明は、左右後車輪(５)，（５）の前方と上方を覆うフェンダー（１３），（１３）であって、この左右フェンダー（１３），（１３）は後車輪（５），（５）の内側面付近から分割可能として外側のフェンダー（１３ａ），（１３ａ）と内側のフェンダー（１３ｂ），（１３ｂ）とから構成し、前記外側の分割フェンダー（１３ａ），（１３ａ）を着脱自在に構成したことを特徴とするトラクタとする。
後車輪（５）を覆う左右のフェンダー（１３），（１３）は、後車輪（５），（５）の内側面付近から分割できるため、分割された外側フェンダー（１３ａ），（１３ａ）の着脱が容易であり、外側フェンダー（１３ａ），（１３ａ）を取り外すと、車輪周辺のメンテナンスが容易にでき、また、車輪の洗浄においても車輪の内側面まで容易に行うことができる。
【０００６】
請求項２記載の本発明は、前記左右の内側フェンダー（１３ｂ），（１３ｂ）の下方には、ミッション側への泥土飛散を防止する泥除けカバー（１７）を設けたことを特徴とする請求項１記載のトラクタとする。
【０００７】
この泥除けカバー（１７）によって、左右後車輪(５)，（５）によるミッション側への泥土飛散を防止でき、ミッション部に設置された油圧シリンダケース等の油圧機器やフェンダー内に設置された各種操作レバーの操作連動機構などを防護することができる。
【発明の効果】
【０００８】
以上要するに、請求項１の本発明によれば、左右のフェンダーは、左右の後車輪の内側面付近から分割することができるので、分割された外側フェンダーの着脱作業が外側から難なく容易にでき、外側フェンダーを取り外した場合には、車輪周辺のメンテナンスが容易にできるばかりでなく、車輪に付着した泥土の除去作業においても車輪の内側面まで行き届き洗浄作業を容易に行うことができる。
【０００９】
請求項２の本発明によれば、請求項１の発明効果を奏するものでありながら、左右フェンダーの内側には泥除けカバーを設けることによって、左右の後車輪によるミッション側への泥土飛散を防止でき、ミッション部に設置された油圧機器やフェンダー内に設置された各種操作レバーの操作連動機構などを防護することができる。
【発明を実施するための最良の形態】
【００１０】
この発明の実施例を図面に基づき説明する。
図１は、トラクタを示すものであり、この走行車体１前部のボンネット２内部にエンジンＥを搭載し、このエンジンＥの回転動力をミッションケース３内の変速装置に伝え、この変速装置で減速された回転動力を前車輪４及び後車輪５に伝えるようにしている。エンジンＥの後方に前車輪４，４を操舵するステアリングハンドル６が装備され、更に、その後方には運転席７が設置されている。ミッションケース３の後上部には油圧シリンダケース８が搭載され、このシリンダケース８の左右両側には、油圧昇降機構の一部を構成するリフトアーム９が回動自在に取り付けられている。リフトアーム９は昇降用油圧シリンダの伸縮作動により上下動する。車体後部には、トップリンク１１と左右のロアーリンク１２からなる３点リンク機構を設け、同リンク機構にロータリ作業機等を装着するようにしている。
【００１１】
左右の後車輪５，５の前方と上方を覆うフェンダー１３，１３は、後車輪５，５の内側面近くを分割面として左右内外に分割可能に構成してある。分割された外側フェンダー１３ａは、内側フェンダー１３ｂに対してノブ等の取付具により着脱自在に連結する構成としている。左右のフェンダー１３，１３間（内側フェンダー１３ｂ，１３ｂ間）は、中間板体１４によって一体的に連設することによりフェンダー成形体１５を構成している。また、このフェンダー成形体１５には、水抜けをよくするために魚骨状の水抜き溝１６を形成してあり、水抜き溝１６の押出し成形によって断面形状が波型に成形された形になるため、強度上有利な構成となる。
【００１２】
内側フェンダー１３ｂの内側壁Ｆｉは、外側フェンダー１３ａの外側壁Ｆｕより下方に長く延出されてあり、そして、そのフェンダー内側壁Ｆｉの下方には、ミッションケース８側への泥土飛散を防止する泥除けカバー１７が設けられ、機体側支持フレーム１８にボルト等の締付具１９で着脱自在に装着されている。
【００１３】
フェンダー１３，１３上には各種の操作レバーを案内するガイド溝２０を有したガイド板２１が附設されている。各種の操作レバーとして、右側にコントロールレバー（ポジションレバー）２２、左側に主変速レバー２３、副変速レバー２４、ＰＴＯ変速レバー２５等が配置されている。各操作レバー２２、２３、２４、２５等の操作連動機構は上記泥除けカバー１７によって防護され，後車輪からの泥土を被ることがない。
【００１４】
従来は、図６に示すように、左右の前車輪４，４を操向操舵するパワステシリンダ３０の伸縮移動部材３０ａ，３０ａを防護するパワステシリンダガード３１，３１がフロントアクスルハウジング３２に対してボルトなどで別々に装着する構成のものであった。このような従来構成を、例えば、図７に示すように、パワステシリンダ３０全体を被覆して防護するように構成しておくと、部品点数が減少し取り扱いも良くなり便利である。また、図８及び図９に示すように、図８の左半分及び図９の左半分に示す従来例に対し、図８の右半分及び図９の右半分に示す本例では、パワステシリンダガード３１，３１とフロントアクスルハウジング３２とを鋳物で一体化することによって部品点数を大幅に削減することができ、安価に実施することができる。
【００１５】
図１０に示す実施例は、運転席位置やオペレータの体格によってポジションレバー位置を任意に変更できる構成としている。ポジションレバー２２を途中部から分割し、基部２２ｂ側の分割面に設けた数個の調節孔３４…を有する雌座３５に対し、先端２２ａ側の分割面に設けた１個又は２個の突起３６を有する雄座３７を差し込んで固定できるように位置変更自在に構成している。つまり、図例では、雌座３５側には縦横３個づつの計９個の調節孔３４…を有するのに対し、雄座３７側には１個又は２個の突起３６を有し、各調節孔３４…に対する突起３６の嵌入位置を変えることによってオペレータの体格に応じたレバー位置の変更調節が行える。
【００１６】
また、図１１に示すように、ポジションレバー２２の揺動操作圏内には、該レバー２２の最終操作域がガイド溝２０の端部に接当しない手前位置となるようポジションストッパー３８，３８を設けることによってレバーのオーバーラン並びに樹脂製ガイド板の変形や破損を防止することができる。
【００１７】
従来、トラクタのミッションブリ−ザパイプは、直接ミッション部から取り出すようにしていた。ミッション部内でのオイル温度が上昇すると、圧が抜けにくいため、シール部に負担がかかり寿命を短くしていた。本例では、図１２に示すように、ブリ−ザパイプ４０をミッション部３の給油口４１から取り出すように連通構成することで、オイル温度が上昇しても圧が抜けるのでシール部の保護を図ることができる。
【００１８】
図１３に示す実施例では、フロントアクスルハウジング３２にブリ−ザとなるアダプタ４２を設け、このアダプタ４２には泥水が入らないようにホース４３を設けた構成としている。そして、このホース４３は本機のフロントアクスルが水田に沈下しても泥が入らない位置まで上方に高く延長してラジエータブラケット４４等に固定保持する構成としている。従来、フロントアクスルにはブリ−ザがなく、アクスル内圧が高くなると、スリーブ、オイルシールよりオイルの漏れが発生し、また、フロントアクスルが水田に沈んだ場合、シール部より泥が侵入し、ギヤ、シャフト、ベアリングなどの寿命が短くなる問題があった。本例では、上記構成により、内圧を低く抑えることができるので、オイル漏れがなくなり、シール部より泥土の侵入がなく、アクスル内におけるギヤやシャフト、ベアリング等の長期寿命が確保される。
【００１９】
従来、トラクタで使用されているウインカーは、ステアリングハンドルを少し戻すだけでウインカーへの指示が解除されてしまう。そのため、左折時や右折時にハンドルを僅かに戻したりすると、ウインカーが消えてしまい非常に危険である。そこで、本例では、図１４に示すように、クラッチペダル４５のクラッチ入り切りを検出するリミットセンサ４６と左右方向を指示するウインカー４７をリレー４８やターンシグナル（ウインカースイッチ）４９を持つ電気回路で接続し、クラッチペダル４５が踏み込まれている（クラッチ切り）間はウインカー４７がメカ的に解除されてもウインカーの点滅が継続されるように構成する。従って、これによれば、左折・右折時にウインカーを作動させ、クラッチペダルを踏んで一旦停止した後にハンドルを若干戻したとしても、ウインカーの作動は継続し、トラクタのように速度の遅い車両においてより安全となる。
【００２０】
また、上記の構成に加えて、図１５に示すように、コントローラ５０の入力側に前輪切れ角センサ５１を接続して設け、クラッチペダルによるクラッチ解除後においても前輪の切れ角が所定値になるまでウインカーが点滅するように構成することもできる。要するに、左折・右折時にウインカーを作動させ、クラッチペダルを踏んで一旦停止した後にハンドルを若干戻したとしても、ウインカーの作動は継続し、更に、クラッチ解除（クラッチ入り）後においても、前輪切れ角センサ５１が所定の前輪切れ角を検出するまで、即ち、機体進行方向の変更（左折又は右折）を完了するまでウインカーが作動する構成としたものである。
【００２１】
図１６に示す実施例は、ウインカー回路にタイマーリレー４８Ｔを設け、メカ的にウインカーが解除された後も、一定時間ウインカーが点滅するように構成したものである。つまり、このタイマーリレーは、ハンドルを戻すことによりメカ的に解除されるウインカーランプへの指示を解除後も一定時間維持するものである。
【００２２】
また、図１７に示す実施例では、ウインカー回路に時間長さの異なる３個のタイマーリレー４８Ｔ１，４８Ｔ２，４８Ｔ３を設け、前輪切れ角センサによる信号によりコントローラでウインカーの作動時間長さを決定するように構成している。つまり、ウインカー作動時の最大前輪切れ角を前輪切れ角センサ５１により検出し、その検出結果をコントローラ５０より３個のタイマーのうち、最適なタイマーへ自動的に接続する構成としている。
【００２３】
更に、図１８に示す実施例では、このウインカー回路に設けられるリレー４８は、ハンドルを戻すことによりメカ的に解除されるウインカーランプへの指示を解除後も一定時間維持するようになっている。タイマーの時間長さは後記するセンサの状態により３段階で自動的に変化するものとする。そして、タイマー設定のセンサとして、前輪切れ角センサ５１を利用し、切れ角の大きさによってコントローラ５０によりタイマーが自動的に最適な時間長さに設定されるようにしている。従って、これによれば、前輪の切れ角に応じたウインカー点滅の時間長さが自動的に設定されるので、オペレータは無駄な神経を使う必要がなくなる。
【００２４】
なお、上記図１８に示す実施例においては、ウインカーのレバーを反対側に操作して方向指示の切り替えを行うと、タイマーリレーに優先して反対側のウインカーが点滅するようになっている。
【図面の簡単な説明】
【００２５】
【図１】トラクタの左側面図
【図２】トラクタの右側面図
【図３】トラクタ要部の平面図
【図４】フェンダーの平面図
【図５】同上背面図
【図６】フロントアクスルハウジングの従来例を示す正面図
【図７】本例のフロントアクスルハウジングを示す正面図
【図８】フロントアクスルハウジングの平面図
【図９】同上正面図
【図１０】トラクタの操作部要部の側面図
【図１１】トラクタの操作部要部の側面図
【図１２】ミッション部のブリ−ザ機構を示す背面図
【図１３】フロントアクスルのブリ−ザ機構を示す斜視図
【図１４】ウインカー回路図
【図１５】ウインカー制御ブロック回路図
【図１６】ウインカーブロック回路図
【図１７】ウインカー制御ブロック回路図
【図１８】ウインカー制御ブロック回路図
【符号の説明】
【００２６】
５    後車輪
１３    フェンダー
１３ａ  外側フェンダー
１３ｂ  内側フェンダー
１５    フェンダー成形体
１７    泥除けカバー
【図１】
2009132311.tif 000003
【図２】
2009132311.tif 000004
【図３】
2009132311.tif 000005
【図４】
2009132311.tif 000006
【図５】
2009132311.tif 000007
【図６】
2009132311.tif 000008
【図７】
2009132311.tif 000009
【図８】
2009132311.tif 000010
【図９】
2009132311.tif 000011
【図１０】
2009132311.tif 000012
【図１１】
2009132311.tif 000013
【図１２】
2009132311.tif 000014
【図１３】
2009132311.tif 000015
【図１４】
2009132311.tif 000016
【図１５】
2009132311.tif 000017
【図１６】
2009132311.tif 000018
【図１７】
2009132311.tif 000019
【図１８】
2009132311.tif 000020